(57)【特許請求の範囲】
【請求項１】
注射針と、前記注射針を用いて身体内に植入させる植入用糸とを備え、身体に刺激を与えることで疾病の治療や健康増進等を図る鍼施術用の鍼において、前記植入用糸は、コラーゲン溶液やビタミン溶液などの溶液剤が含浸されていることを特徴とする鍼施術用の鍼。
【請求項２】
前記コラーゲン溶液やビタミン溶液などの溶液剤を冷却して前記植入用糸に含浸されていることを特徴とする請求項１記載の鍼施術用の鍼。
【請求項３】
前記植入用糸は、身体の患部に前記注射針を刺すときに植入用糸をも同時に体内に植入して、植入用糸を体内に残した状態で前記注射針を抜き取るために、その一端側が前記注射針先端側の細孔に挿入され、その他端側が引き出されていることを特徴とする請求項１又は２記載の鍼施術用の鍼。
【請求項４】
前記注射針の細孔からの前記植入用糸の引き出し長さが、前記注射針の細孔への前記植入用糸の挿入長さよりも長く設定されていることを特徴とする請求項３記載の鍼施術用の鍼。
【発明の詳細な説明】
【技術分野】
【０００１】
本発明は、身体に鍼を用いた刺激を与えることで疾病の治療や健康増進等を図る鍼施術用の鍼に関する。
【背景技術】
【０００２】
近年、身体に副作用を与えることが少ない美容形成・美容整形療法として、糸を身体内に植入して皮膚細胞を活性化させる技術が注目されている。例えば、特許文献１に示すように、金（Ａｕ）糸・白金（Ｐｔ）糸を体内に植入する施術がある。これは、一端を尖鋭とした縫合手術等に用いられる外科用針の他端に、金糸・白金糸を装着して、それらの糸を皮膚内部に縫合するように植入するもので、金及び白金が備える生理作用により皮膚細胞を活性化して老化の進行を止め、皮膚のしわ、しみ、およびたるみ等を改善するものである。しかし、上述した金糸・白金糸を外科用針で植入する美容形成・美容整形療法では、近年多い貴金属アレルギー患者には適用できず、また、皮膚を縫合できる広さ・深さに限界があるため、どの箇所にも植入できるものではないなどの種々の問題があった。
これに対して、整形医療や様々な分野で用いられる鍼治療による鍼施術は、美容形成・美容整形療法で行われ、皮膚内部を刺激して活性化させて、老化の進行を止め、皮膚の改善を図り若返り等を図るなどの効果を得ることができるとされている。そして、この鍼治療による鍼施術においては、更に身体に刺激を与えるようにできる方法として、注射針内に糸を挿入して、鍼施術のときに、身体内に糸を植入することが提案されている。例えば、特許文献２では、一定の長さに折り曲げた糸のどちらか一方を注射針内に挿入して、その注射針が患部に挿入されて筋肉内に刺激を与える時に筋肉内に糸が挿入される痛み治療機構が提案されている。また、特許文献３では、糸を内部が中空状の針内に収納し、針を皮下組織に挿入して糸を皮下組織内に留置する施術方法が提案されている。これら特許文献２、３のような鍼施術用の鍼では、糸の全長は短くして、注射針の細孔への糸の挿入長さ（注射針内に挿入された糸の端部から折り返し点までの長さ）が、注射針の細孔からの糸の引き出し長さ（注射針外に引き出された糸の端部から折り返し点までの長さ）に比べ長いか同等に設定されていることで、施術前に注射針から糸が外れにくく、また、糸の外部との接触部分が少なく衛生面が保たれる。このような短い糸によるものは、手軽なリストアップ効果（短時間の施術）を謳い文句にするものが多い。
【先行技術文献】
【特許文献】
【０００３】
【特許文献１】特開２００５−３０４６７１号
【特許文献２】特開２００８−２８９８４３号
【特許文献３】特開２００５−１１８４５１号
【発明の概要】
【発明が解決しようとする課題】
【０００４】
しかしながら、短い糸によるものは、そのリストアップ効果が長く続かないという問題の他に次のような問題を有する。上述した特許文献２または特許文献３のような従来の鍼施術用の鍼では、注射針の細孔への糸の挿入長さは、比較的長く設定されることで、植入用糸が体内で注射針から容易に外れにくく、そのため、高度な技術を有する者しか施術を行えないとの問題があった。加えて、その糸の挿入長さが、注射針の長さに対しても長く設定される場合には、身体の患部に針を刺入したとき、その刺入方向とは逆向きの力が糸に作用することで、糸が針内で詰まり、糸が針内から外れないとの問題があった。そして、この問題を解消するために、糸の挿入長さに合わせてそれよりも注射針を長くすると、患部深くを刺激して、多くの痛みを与えてしまう。また、規格の注射針で対応できず、特注となりコストがかかるという問題も生じていた。
【０００５】
そこで、本発明の目的は、鍼施術用の鍼を、更に身体に刺激を長期間与えるようにできることに加えて、美容形成・美容整形用にも十分に活用し、特に、植入用糸にコラーゲン溶液などの溶液剤が含浸されていることで、更に刺激効果を生じさせ、また、糸の折り返し長さを調節するだけで、身体内において糸を注射針から容易に抜き取ることができるようにした鍼施術用の鍼を提供することにある。
【課題を解決するための手段】
【０００６】
本願発明の鍼施術用の鍼は、注射針と、前記注射針を用いて身体内に植入させる植入用糸とを備え、身体に刺激を与えることで疾病の治療や健康増進等を図る鍼施術用の鍼において、前記植入用糸は、コラーゲン溶液やビタミン溶液などの溶液剤が含浸されていることを特徴とする。そして、前記コラーゲン溶液やビタミン溶液などの溶液剤を冷却して前記植入用糸に含浸されていることが更に好ましい。
【０００７】
本発明によれば、植入用糸にコラーゲン溶液などの溶液剤が含浸されていることで、更に刺激効果を生じさせ、細胞レベルの再生・修復を促し、肌に潤いを生じさせ美肌などの効果を有するのみならず、前記植入用糸の収縮効果を生み、皮膚に対して刺し込み易くなる。ここで、コラーゲン溶液やビタミン溶液などは、常温でも植入用糸の収縮効果を生じさせるが、冷却されることで更に植入用糸の収縮効果を高めることができる。
【０００８】
本発明としては、前記注射針が外科手術用の注射針であり、前記植入用糸が外科手術用の縫合糸であることが好ましい。
【０００９】
本願発明者は、外科用の注射針と外科手術用の縫合糸を用いて、身体の所定箇所に外科手術用の縫合糸を植入すると、疾病の治療や健康増進等の効果をより高くすることができることに加えて、皺を伸ばし、ほほ等のたるみを上げる（リフトアップ）効果を発揮することを見出した。                                    
したがって、本発明によれば、既存の外科手術用の注射針と外科手術用の縫合糸を使用して、即座に使用できる。また、外科手術用の縫合糸は、身体内に吸収されて、身体に悪影響を与えるようなことは無い。また、注射針は、既存の外科手術用のものであるので安価である。また、消毒すれば何度もリサイクルできるので経済的である。金糸・白金糸などの金属糸を身体内に埋めると、検査でレントゲンやＣＴスキャンを取ったときに、埋め込んだ金糸・白金糸が映ってしまい、検査に支障をきたす。特に顔を含む頭部においては、深刻であったが、本発明においては、既存の外科手術用の縫合糸を用いるので、検査に支障をきたすことはない。
【００１０】
また、本願発明者は、従来の短い糸に対して比較的長い糸を使用するが、他方、糸を長くすることによる問題に対しても有効な解決策を提案する。
本願発明の鍼施術用の鍼としては、前記植入用糸は、身体の患部に前記注射針を刺すときに植入用糸をも同時に体内に植入して、植入用糸を体内に残した状態で前記注射針を抜き取るために、その一端側が前記注射針先端側の細孔に挿入され、その他端側が引き出されていることを特徴とする。そして、前記注射針の細孔からの前記植入用糸の引き出し長さが、前記注射針の細孔への前記植入用糸の挿入長さよりも長く設定されていることが好ましい。
【００１１】
本発明によれば、身体の患部に注射針を刺すと植入用糸も同時に体内に植入して行くので、皮膚内部（身体）を刺激しながら植入用糸を皮膚体内に植入させることができる。そして、刺激を与えた後に、鍼、つまり注射針を抜くと、注射針の先端部の細孔に挿入した植入用糸が注射針から外れて、身体内に残る。このため、刺激効果が長く維持できる。
このとき、注射針の細孔からの植入用糸の引き出し長さは、注射針の細孔への糸の挿入長さより長く設定されることで、身体内で植入用糸が注射針から容易に外れることが可能となる。これより、従来の短い植入用糸に対して比較的長い植入用糸を用いることができ、リフトアップ効果を長時間持続させることができる。また、その植入用糸の引き出し長さを調節することで、糸の挿入長さを注射針の長さを超えないように設定できるので、身体の患部に針を刺すときに、その刺入方向とは逆向きの力が糸に作用しても、糸が針内で詰まり、糸が針内から外れないとの問題は生じない。また、その糸の引き出し長さを長く調節することで、注射針を長くする必要は生じないので、患部深くを刺激して、多くの痛みを与えてしまう問題も解消される。
そして、この植入用糸としては、刺激効果及びしわを伸ばすなどの効用のある薬液・薬剤、例えば、ビタミン、コラーゲン、軟膏などを付けたものを使用されることができる。このとき、注射針の細孔内に挿入された部分は接触することが多いが、植入用糸の引き出された部分は外部との接触がほとんどどないので、植入用糸が身体内に植入されるまで、その植入用糸の引き出し部分に付着した上記薬液・薬剤の多くが維持される。これより、植入用糸に付着した上記薬液・薬剤の多くを身体内に注入することも可能となる。
【００１２】
本発明としては、植入用糸の衛生面を保ち、特に、前記コラーゲン溶液などの溶液剤の揮発を防止するために、キャップが嵌合されていることが好ましい。
また、施術前に注射針から糸が外れるのを防止し、特に、前記コラーゲン溶液が含浸されたやや重い（重量のある）植入用糸を皮膚に安定した状態で刺し込むために留め具が前記注射針に沿って保持されていることが好ましい。、
【発明の効果】
【００１３】
本発明によれば、身体の患部に注射針を刺すと植入用糸も同時に体内に植入して行くので、皮膚内部（身体）を刺激しながら植入用糸を皮膚体内に植入させることができ、刺激効果が長く維持できる。このとき、注射針の細孔からの植入用糸の引き出し長さは、注射針の細孔への糸の挿入長さより長く設定されることで、身体内で植入用糸が注射針から容易に外れることが可能となる。これより、従来の短い植入用糸に対して比較的長い植入用糸を用いることができ、リフトアップ効果を長時間持続させることができる。
特に、外科用の注射針と外科手術用の縫合糸を用いて、身体の所定箇所に外科手術用の縫合糸を植入すると、疾病の治療や健康増進等により効果を高くすることできるのみならず、皺を伸ばし、ほほ等のたるみを上げる（リフトアップ）効果を発揮する。外科手術用の縫合糸は、身体内に吸収されて、身体に悪影響を与えるようなことが無いからである。
また、植入用糸にコラーゲン溶液などの溶液剤が含浸されていることで、更に刺激効果を生じさせ、肌に潤いを生じさせるなどの効果を有するのみならず、植入用糸の収縮効果を生み、皮膚に対して刺し込み易くなる。
【図面の簡単な説明】
【００１４】
【図１】本発明の実施形態の鍼施術用の鍼を説明する外観斜視図である。
【図２】図１の鍼における注射針の細孔からの植入用糸の引き出し長さと、注射針の細孔への糸の挿入長さとの関係を説明する断面側面図である。
【図３】図１の鍼にキャップが装着された状態を説明する外観斜視図である。
【図４】図１の注射針により植入用糸が皮膚内部に植入される様子を説明する図であり、図４（ａ）は、先端部を皮膚内部に刺入した図であり、図４（ｂ）は、先端部を皮膚内部から抜いた図である。
【図５】図１の鍼の使用例であり、図５（ａ）は顔のしわが形成される箇所を示す図であり、図５（ｂ）は鍼を刺入する状態を示す図である。
【図６】図１の鍼による額しわの効果の経過を説明する図であり、図６（ａ）は鍼の使用前の状態を示す図であり、図６（ｂ）は鍼による使用後の第１段階を示す図であり、図６（ｃ）は鍼の使用後の最終段階を示す図である。
【図７】図１の鍼による目元しわに対する効果を説明する図であり、図７（ａ）は鍼の使用前の状態を示す図であり、図７（ｂ）は鍼の使用後の状態を示す図である。
【図８】図１の鍼による口元しわに対する効果を説明する図であり、図８（ａ）は鍼の使用前の状態を示す図であり、図８（ｂ）は鍼の使用後の状態を示す図である。
【図９】図１の鍼による額しわに対する効果を説明する図であり、図９（ａ）は鍼の使用前の状態を示す図であり、図９（ｂ）は鍼の使用後の状態を示す図である。
【図１０】図１の鍼による額の膨らみ施術に対する効果を説明する図であり、図１０（ａ）は鍼の使用前の状態を示す図であり、図１０（ｂ）は鍼の使用後の状態を示す図である。
【図１１】図１の鍼による鼻筋矯正に対する効果を説明する図であり、図１１（ａ）は鍼の使用前の状態を示す図であり、図１１（ｂ）は鍼の使用後の状態を示す図である。
【図１２】図１の鍼のよるお尻のヒップアップ施術に対する効果を説明する図であり、図１２（ａ）は鍼の使用前の状態を示す図であり、図１２（ｂ）は鍼の使用後の状態を示す図である。
【図１３】図１の鍼による増毛治療に対する効果を説明する図であり、図１３（ａ）は鍼の使用前の状態を示す図であり、図１３（ｂ）は鍼の使用後の状態を示す図である。
【発明を実施するための形態】
【００１５】
以下、本発明を実施するための形態を図面を引用しながら説明する。
図１は本発明の実施形態の鍼施術用の鍼を説明する外観斜視図であり、図２は、図１の鍼における注射針の先端部の細孔に植入用糸が挿入された状態を説明する断面側面図である。図３は、図１の鍼にキャップが装着された状態を説明する外観斜視図である。
【００１６】
本実施の形態の鍼施術用の鍼１は、身体に鍼を用いて刺激を与えることで疾病の治療や健康増進等を図る鍼施術用の鍼であって、注射針２と、身体内に植入する植入用糸３と、植入用糸３を注射針２に沿って保持する留め具４と、注射針２に一体的に設けられる樹脂製の操作部５を有している。
【００１７】
注射針２は、先端側に液体や気体を注入および吸引するために用いられる細孔２ｂが形成され、基端２ａ側に操作部５が一体的に設けられている。
ここで、本実施で用いられる注射針２は、一般に用いられる外科手術用の注射針であり、複数の太さのもの（外径約１．２０ｍｍ〜０．４０ｍｍ、内径約０．４０ｍｍ〜０．２２ｍｍ）のものが用意されて、使用する箇所に応じて使い分けされる。例えば、太さの規格のＧ（ゲージ）で表わされ、１８Ｇ（外径１．２０ｍｍ及び内径０．４０ｍｍ）、１９Ｇ（外径１．１０ｍｍ及び内径０．７８ｍｍ）、２０Ｇ（外径０．９０ｍｍ及び内径０．６６ｍｍ）、２１Ｇ（外径０．８０ｍｍ及び内径０．５７ｍｍ）、２２Ｇ（外径０．７０ｍｍ及び内径０．４８ｍｍ）、２３Ｇ（外径０．６５ｍｍ及び内径０．４０ｍｍ）、２４Ｇ（外径０．５５ｍｍ及び内径０．３７ｍｍ）、２５Ｇ（外径０．５０ｍｍ及び内径０．３７ｍｍ）、２６Ｇ（外径０．４５ｍｍ及び内径０．２７ｍｍ）、及び２７Ｇ（外径０．４０ｍｍ及び内径０．２２ｍｍ）と１８Ｇ〜２７Ｇの太さの注射針が使用する箇所に応じて、選択して用いられる。痛みの少ない細い針（１８Ｇ〜２２Ｇ）が多く用いられるが、皮下脂肪が厚く痛みの感覚が比較的小さい箇所では、それ以外のＧ（ゲージ）の針も用いられる。なお、上記Ｇで規格される太さ以外の注射針を用いることも可能である。
そして、注射針の針先形状は、一般的な注射針の規格として、レギュラーベベル（Ｒ．Ｂ．）及びショートベベル（Ｓ．Ｂ．）の２種類が種々選択して用いられ、レギュラーベベルでは、針先の角度が１２度で、針先の斜めにカットされた部分が長く、ショートベベルでは、針先の角度が１８度でレギュラーベベルよりも針先の斜めにカットされた部分が短くなっている。なお、それら２つの針先形状以外も用いることも可能である。
また、注射針２は、複数の長さのもの（約３ｃｍ〜約２０ｃｍ）が用意されて、使用する箇所に応じて使い分けされる。具体的には、顔の目元及び口元などに対する細部な施術では、約５ｃｍの比較的短い注射針が用いられ、お尻整形（ヒップアップ）などに対する広範囲に施術する場合では、約１５ｃｍの注射針が用いられる。
【００１８】
植入用糸３は、図２に示すように、注射針２の斜めにカットされた先端側で二方に折り返されて、その一端３ｂ側が所定長さ注射針２の先端部の細孔２ｂに挿入されており、その他端３ａ側を注射針２に沿って留め具４によって保持されている。このとき、植入用糸３の太さは、注射針２の太さよりも細く形成される方が身体患部への植入において確実に行われるので好ましい。
そして、本実施の形態では、植入用糸３は、注射針２の細孔２ｂからの引き出し長さＹが、注射針２の細孔２ｂへの挿入長さＸよりも長く設定されている。この植入用糸３の挿入長さＸは、注射針２の長さよりも短く設定されている。これにより、身体の患部に注射針２を刺入したとき、その刺入方向とは逆向きの力が植入用糸３に作用しても、注射針２内で植入用糸３が重なり合って注射針２内で詰まり、注射針２内から植入用糸３が外れない事態を防止する。一方、植入用糸３の引き出し長さＹは、注射針２の長さよりも短い方が好ましい。植入用糸３が留め具４から確実に外れるためである。
【００１９】
また、本実施で用いられる植入用糸３は、外科手術用の縫合糸である。外科手術用縫合糸としては、（１）自然素材糸または合成糸、（２）編み糸（撚り糸）またはモノフィラメント、また（３）吸収されない糸（非吸収糸）または吸収される糸（吸収糸）の（１）〜（３）の組み合わせで分類される様々な糸を用いることができるが、本実施の形態の鍼施術用の鍼１では、（１）合成糸、（２）モノフィラメント、及び（３）吸収糸の特徴を有するＰＤＳ（ポリジオキサノン）が用いられる。このＰＤＳ（ポリジオキサノン）は、生体内で約６ヶ月間、十分な強度を有して存在する性質を有し、植入用糸３が体内に植入されると、１ヶ月から６ヶ月の間で徐々に分解され、植入用糸３近辺の体内組織に持続的で反復的な刺激を与えることができる。本実施の形態のように、植入用糸３をほぼ同じ長さの２方に折り返すと、ＰＤＳ（ポリジオキサノン）では元の直線形状に復元しようとする力が作用して、より刺激を与えることもある。
そして、植入用糸３には、コラーゲン溶液やビタミン溶液などの溶液剤が含浸されることができる。本実施の形態では、このコラーゲン溶液やビタミン溶液などの溶液剤は、冷却された状態で植入用糸に３に含浸されるが常温で含侵されてもよい。
なお、植入用糸３は、その他端３ａ側が留め具４によって保持されているが、留め具４を用いずに、挿入（植入）されることも可能であり、また、例えば、手などで押さえ・支えられながら調節しつつ、挿入（植入）されることも可能である。
【００２０】
留め具４は、注射針２に装着されており、植入用糸３の他端３ｂ側を注射針２に沿って保持している。そして、留め具４は、身体の患部に注射針２を刺すときから植入用糸３を体内に植入するまで、注射針２に沿って（図１の矢印方向に）移動しながら保持する。本実施の形態の留め具４は、スポンジ等のクッション性のある弾性部材が用いられ、注射針２に沿って移動できる範囲で適度な押し付け力を作用させる。これにより、留め具５は、二方に折り返されて元に復元しようとする上記ＰＤＳ（ポリジオキサノン）の植入用糸３を注射針２に確実に留める。
ここで、留め具４は、本実施の形態では、１つ使用されているが、注射針２の長さ、及び、植入用糸３の長さに応じて複数使用されてもよい。また、留め具４は、上記薬液・薬剤の種類、施術患部、また、注射針２及び植入用糸３の長さなどに応じて種々色を変更して使用されてもよい。
【００２１】
操作部５は、注射針２の基端２ａ側に一体的に設けられている。注射針２を体内へ刺入及び抜き取る際、操作部５を手で押さえながら操作する。このとき、操作部５は注射針２に一体的に設けられているので外れることはない。操作部５は、段差部５ａを有しておりこの段差部５ａとキャップ６（後述）とが嵌合できる構造となっている。操作部５は、種々の材料が用いられるが、例えば、樹脂製にすると、注射針２と一体成形し易く、また、軽量化を図ることができる。
【００２２】
キャップ６は、図３に示すように、円筒状で、その一端側（操作部５側）が開口され、他端側（注射針２の先端側）が閉口されており、注射針２と植入用糸３とを覆って、操作部５の段差部５ａと嵌合して配置される。また、キャップ６は、注射針２と留め具４とに接触しないように配されている。キャップ６を配置することで、注射針２、植入用糸３、及び留め具４の外部からの接触を防止し、清潔に保つことができる。薬液・薬剤を付けた植入用糸３の場合、その薬液・薬剤の効果を長く維持することができる。
【００２３】
次に、本実施の形態における鍼施術用の鍼１の使用例を図を用いて説明する。図４は、図１の注射針２により植入用糸３が皮膚内部に植入される様子を説明する図であり、図４（ａ）は、先端部を皮膚内部に刺入した図であり、図４（ｂ）は、先端部を皮膚内部から抜いた図である。図５は、図１の鍼１の使用例であり、図５（ａ）は顔のしわが形成される箇所を示す図であり、図５（ｂ）は鍼を刺入する状態を示す図である。
図４（ａ）に示すように、片手７ａで操作部５を握り、皮膚内部に注射針２及び植入用糸３を矢印の方向に刺入する。このとき、留め具５は、図４（ａ）の矢印の方向に移動する。鍼施術用の鍼１は、鍼灸施術で使われる特定の経路と特殊な経穴及び経筋に沿って施術される。ここで、皮膚内部組織の概略は、皮膚上層から順に、皮膚、リンパ 、筋肉、骨であり、より詳細には、図４（ａ）、（ｂ）に示すように、表皮８、真皮９、繊維中隔１０、筋膜１１、繊維中隔１０と筋膜１１の間に配される血管１２、筋肉１３、及び運動神経１４である。この皮膚内部組織内に対し、注射針２の先端部で刺激を与え（図４（ａ）においては繊維中隔１０に刺激を与えている）、同時に、もしくはその直後に、もう一方の手７ｂで、注射針２の先端部近傍を皮膚表面から押さえる。
続いて、間を空けずに、図４（ｂ）に示すように、注射針２を刺入した方向に沿って身体から抜き取る。このとき、身体の患部（図４（ｂ）において真皮９及び繊維中隔１０）に植入用糸３が残存される。このように、身体の患部に注射針２を刺すときに、植入用糸３も同時に体内に植入されて、植入用糸３を体内に残して注射針２のみが抜き取られる。そして、身体の患部に注射針２を刺すときから植入用糸３を体内に植入するまで、留め具５は、植入用糸３を注射針２に沿って移動しながら保持するので、植入用糸３は、確実に体内に植入されることが可能となる。
上記のように、身体内に植入用糸３が植入されることで、体内の呼吸筋を調節して血管１２を疎通させ、身体の縦と横のバランスを直し、その比率と対称性を調節する。その結果、経穴の周囲の老化した真皮層と軟部組織（ＳＭＡＳ）が刺激を受けて筋肉が強化され、コラーゲンが生成される。この過程を通してシワが除去され、皮膚組織が安定しながらたるみが改善（リフティング）効果を得ることができるのである。また、２方に折り返されたＰＤＳ（ポリジオキサノン）からなる植入用糸３が元の直線形状に復元しようとする刺激等も加わって、筋肉が正しい位置に戻り、発達していないバストやヒップの筋肉が発達しながら弾力を得るようになる。 
【００２４】
例えば、図５（ａ）に示すように、顔１５内において、しわが形成される目元エリア１５ａ、１５ａ、口元エリア１５ｂ、１５ｂ、眉間エリア１５ｃ、額エリア１５ｄに施術される。鍼１は、図５（ｂ）に示すように、各エリアに形成されたしわに沿って施術される。このとき、例えば、目元エリア１５ａのように、しわが複数本あるときは、鍼１による施術が同本数行われたり、または、効果のある箇所に少ない本数行われたり施術方法を種々変更する。
【００２５】
続いて、本発明の鍼施術用の鍼１が顔１５に施術された結果を実例を用いて説明する。図６は、本発明の鍼施術用の鍼１による額しわの効果の経過を説明する図であり、図６（ａ）は鍼の使用前の状態を示す図であり、図６（ｂ）は鍼の使用後の第１段階を示す図であり、図６（ｃ）は鍼の使用後の最終段階を示す図である。
額には、図６（ａ）に示すように、明確に２本のしわが形成されているが、このしわ近傍に、本発明の鍼施術用の鍼１を施術すると、まず、第１段階として、図６（ｂ）に示すように、しわ上に沿って濃いしみ（のようなもの）が浮き出てくる。その後、濃いしみ（のようなもの）は消えて、図６（ｃ）に示すように、最終的に、しみは完全に消える。
上記経過をたどって消える顔１５の各エリア１５ａ、１５ｂ、１５ｃ、１５ｄのしみについて、その効果を具体的に示す。図７は、本発明の鍼施術用の鍼１が目元しわに用いられた効果を説明する図であり、図７（ａ）は鍼の使用前の状態を示す図であり、図７（ｂ）は鍼の使用後の状態を示す図である。また、図８は、本発明の鍼施術用の鍼１が目元しわに用いられた効果を説明する図であり、図８（ａ）は鍼の使用前の状態を示す図であり、図８（ｂ）は鍼の使用後の状態を示す図である。また、図９は、本発明の鍼施術用の鍼１が額しわに用いられた効果を説明する図であり、図９（ａ）は鍼の使用前の状態を示す図であり、図９（ｂ）は鍼の使用後の状態を示す図である。
図７（ａ）に示すように、目元エリア１５ａに形成された目尻の複数のしわは、本発明の鍼施術用の鍼１が目元エリア１５ａに施術されることで、図７（ｂ）示すように、全部消え肌に張りがでていることが明確に分かる。また、図８（ａ）に示すように、口元エリア１５ｂに明確に形成された口元八字の大きなしわは、本発明の鍼施術用の鍼１が口元エリア１５ｂに施術されることで、図８（ｂ）示すように、完全に消えていることが明確に分かる。さらに、図９（ａ）に示すように、額エリア１５ｄに明確に形成された左右に伸びた複数のしわは、本発明の鍼施術用の鍼１が額エリア１５ｂに施術されることで、図９（ｂ）示すように、ほぼ完全に消えていることが明確に分かる。
上記しわの除去施術は、顔だけでなく、首に形成されたしわに対しても有効である。
【００２６】
次に、本発明の鍼施術用の鍼１が顔１５以外のその他の身体箇所に施術された効果を実例を用いて説明する。図１０は、本発明の鍼施術用の鍼１による額部施術に対する効果を説明する図であり、図１０（ａ）は鍼の使用前の状態を示す図であり、図１０（ｂ）は鍼の使用後の状態を示す図である。
額は、図１０（ａ）に示すように、ほぼ平坦（少し窪んでいる）であるが、本発明の鍼施術用の鍼１が額部に施術されることで、図１０（ｂ）に示すように、額部に膨らみが出て立体的な額となっているのがわかる。このように、切開施術することなく、本発明の鍼施術用の鍼１を額に施術するだけで、額部に膨らみを持たすことができる。
【００２７】
また、図１１は、本発明の鍼施術用の鍼１による鼻筋矯正に対する効果を説明する図であり、図１１（ａ）は鍼の使用前の状態を示す図であり、図１１（ｂ）は鍼の使用後の状態を示す図である。
鼻は、図１１（ａ）に示すように、鼻筋があまり通っていないが、本発明の鍼施術用の鍼１が鼻周辺の筋肉に施術されることで、図１０（ｂ）に示すように、明確に鼻筋が通り立体感が出ているのが分かる。このように、切開施術することなく、本発明の鍼施術用の鍼１を鼻に施術するだけで、貧弱な鼻を立体的に作る効果を得る。加えて、眉間しわ及び口元八字しわが解消され、鼻炎などの症状も改善されるのである。
上記鼻筋整形は、わし鼻矯正に対しても効果的であり、本発明の鍼施術用の鍼１を施術することで、わし鼻が解消され直線的な鼻筋の鼻へと整形される。
【００２８】
また、図１２は、本発明の鍼施術用の鍼１によるお尻のたるみ改善（ヒップアップ）に対する効果を説明する図であり、図１２（ａ）は鍼の使用前の状態を示す図であり、図１２（ｂ）は鍼の使用後の状態を示す図である。
図１２（ａ）に示すように、垂下がったお尻は、本発明の鍼施術用の鍼１がお尻に施術されることで、図１２（ｂ）に示すように、お尻のたるみが改善（ヒップアップ）する。これは、垂下がらないきれいなお尻を作るのに必要な筋肉は、大臀根、小臀根、二上根を含めた数種類の筋肉組職で、本発明の鍼施術用の鍼１により、これらの弾力を回復させ、骨盤骨と脊椎骨の均衡を直す根本的な治療が行われるのである。また、左右不均衡なヒップバランスも直すことができる。さらに、鍼治療及び植入用糸３の効用で、腰痛治療、生理不順改善、大腸機能の活性化、及び消化不良も改善される。
上記ヒップアップと同様に、胸の垂下がりに対しても、本発明の鍼施術用の鍼１により、垂下がらないバスト（いわゆるバストアップ）される効果を得ることができる。
【００２９】
また、図１３は、本発明の鍼施術用の鍼１による増毛治療に対する効果を説明する図であり、図１３（ａ）は鍼の使用前の状態を示す図であり、図１３（ｂ）は鍼の使用後の状態を示す図である。
図１３（ａ）に示すように、頭皮が見え薄く（少なく）なった髪は、本発明の鍼施術用の鍼１が頭皮患部に施術されることで、図１３（ｂ）に示すように、頭皮が見えなくなるほど増毛されているのが分かる。細胞が若返ることにより、毛根が復元するためである。
【００３０】
また、頬骨部のでっぱり、もしくは、頬骨部の窪みにも、本発明の鍼施術用の鍼１は適用可能である。この場合、従来の美容整形手術では、ボトックスまたはシリコン注入施術といった副作用の多い施術が行われていたが、本発明の鍼施術用の鍼１により、頬骨部のでっぱり及びくぼみが解消され、顔の輪郭が滑らかになり整う。これは、顔面の黄金割合、すなわち、人間が本来的に美しいと思う約１：１６の比率を最優先に考慮した鍼１の施術がされることで、個人の持つ顔の輪郭と各部位の形にあわせ一番均衡的な形が体の持つ治癒力により作られ、筋肉と骨格を理想的な形態に復元させる。その結果、大きく出た頬骨部は小さくなり、窪んだ頬肉部は膨らみ、各部位の均整がとれた全体的な顔の美しさが作りだされるのである。
【００３１】
また、左右対称でない歪んだ背骨にも、本発明の鍼施術用の鍼１は適用可能である。この場合、本発明の鍼施術用の鍼１が背骨全体に施術されることで、左右対称となり、バランスのとれた体になっているのが分かる。注射針２の身体患部への刺激と植入用糸３が植入されるといった針と医学的方法の併用で、気を変化（呼吸）させ、身体の軸を真っ直ぐに立て、体の左右対称と各部位と筋肉の比率を正確に復元しているのである。
【００３２】
以上、本実施の形態では、適用される身体患部として主に、顔、背骨、お尻、及び肩などを例に説明したが、鍼１の形状、具体的には、注射針２および植入用糸３の長さなどを種々変更可能であるから、広く身体患部に適用可能である。例えば、膝や腹部などに対しても適用可能である。
【００３３】
また、従来の鍼灸治療では、しばらくの間（約２０分から約３０分）、鍼が刺された状態でいることが必要とされていたが、本発明の鍼施術用の鍼１では、植入用糸３が鍼のような役割をしてくれるので、鍼が刺された状態でいる必要はない。これより、身体的苦痛・疲労もない。さらに、植入用糸３が完全に溶けるまでは鍼のような刺激を患部へ与え続けるので、従来よりも効果は上回る。これは、特に肩こり治療に対し、高い効果を得ている。また、本発明の鍼１では、従来に比べ少ない鍼の本数で同等以上の高い効果を得る。
【００３４】
また、本実施の形態では、植入用糸３にＰＤＳ（ポリジオキサノン）を使用することで、植入用糸３が身体患部へ植入された後、約１ヶ月から６ヶ月で分解され、分解後も治癒力が補助され肌の張りや患部の痛み効果は維持される。その後、植入用糸３は身体の一部へと変わり、身体への副作用はない。例えば、身体患部内の細胞が１０年若返るとすると、１０年若返った状態で老化していく。従って、１年後に植入用糸３を植入することで、肌のはり状態が維持されることが可能となる。
【符号の説明】
【００３５】
１                                        鍼施術用の鍼、
２                                        注射針、
２ａ                                      注射針の基端、
２ｂ                                      注射針の細孔、
３                                        植入用糸、
３ａ                                      植入用糸の他端、
３ｂ                                      植入用糸の一端、
４                                        留め具、
５                                        操作部、
５ａ                                      操作部の段差部、
６                                        キャップ、
７ａ                                      片手、
７ｂ                                      もう一方の手、
８                                        表皮、
９                                        真皮、
１０                                      繊維中隔、
１１                                      筋膜、
１２                                      血管、
１３                                      筋肉、
１４                                      運動神経、
１５                                      顔、
１５ａ                                    目元エリア、
１５ｂ                                    口元エリア、
１５ｃ                                    眉間エリア、
１５ｄ                                    額エリア、
１６                                      額部、
Ｘ                                        注射針の細孔への挿入長さ
Ｙ                                        注射針の細孔からの引き出し長さ
【要約】      （修正有）【課題】鍼施術用の鍼を、更に身体に刺激を長期間与えるようにできることに加えて、美容形成・美容整形用にも十分に活用し、特に、糸の折り返し長さを調節するだけで、身体内において糸を注射針から容易に抜き取ることができるようにした鍼施術用の鍼を提供する。【解決手段】細孔を有する注射針２と、身体内に植入する入用糸３と、植入用糸３の他端３ａ側を注射針２に沿って保持する留め具４とを備え、植入用糸３は、その一端側を所定長さ前記注射針の先端部の細孔に挿入しておき、身体の患部に注射針２を刺すときに植入用糸３も同時に体内に植入して、植入用糸３を体内に残して注射針２のみを抜き取る。植入用糸３は、注射針２の細孔２ｂからの引き出し長さＹが、注射針２の細孔２ｂへの挿入長さＸよりも長く設定されている。留め具４は、身体の患部に注射針２を刺すときから植入用糸３を体内に植入するまで、注射針２に沿って移動しながら保持する。【選択図】図２【図１】
0005128715.tif 000002
【図２】
0005128715.tif 000003
【図３】
0005128715.tif 000004
【図４】
0005128715.tif 000005
【図５】
0005128715.tif 000006
【図６】
0005128715.tif 000007
【図７】
0005128715.tif 000008
【図８】
0005128715.tif 000009
【図９】
0005128715.tif 000010
【図１０】
0005128715.tif 000011
【図１１】
0005128715.tif 000012
【図１２】
0005128715.tif 000013
【図１３】
0005128715.tif 000014